(57)【要約】  空気調和機の室内機は、ケーシングと、ファン及び熱交換器と、フィルターと、フィルターを移動自在に収容し、フィルターをケーシングの前後方向に移動させるフィルター駆動軸を回転自在に支持するカートリッジと、フィルター駆動軸を駆動させるモーターを有するモーターユニットと、を備え、モーターユニットは、モーターによって駆動される駆動ギアを有し、フィルター駆動軸は、シャフト部の両端部に配置されたフィルター移動ギア体を有し、フィルター移動ギア体は、駆動ギアと噛み合う伝達ギアと、伝達ギアと一体に形成されており、ラックギアと噛み合う搬送ギアと、を有し、カートリッジが取り付けられたケーシング内において、伝達ギアの軸位置に対する駆動ギアの軸位置が、ケーシングの正面視で上側かつ奥側、または、下側かつ奥側に位置しているものである。
2019030861.tif 000002
【特許請求の範囲】
【請求項１】
上面部に吸込口が形成され、前記吸込口よりも下方に吹出口が形成されたケーシングと、
前記ケーシング内に設けられたファン及び熱交換器と、
前記吸込口に配置され、前記ファンによって前記ケーシングに吸い込まれる空気から塵埃を除去するフィルターと、
前記ケーシングの奥行方向に移動させることで前記吸込口に着脱自在に配置されており、上面部及び下面部に通気口が形成され、前記フィルターを移動自在に収容し、前記フィルターを前記ケーシングの前後方向に移動させるフィルター駆動軸を回転自在に支持するカートリッジと、
前記フィルター駆動軸を駆動させるモーターを有し、前記ケーシングに着脱自在に配置されるモーターユニットと、
を備え、
前記フィルターは、対向する側縁部にそれぞれラックギアが形成され、
前記モーターユニットは、前記フィルター駆動軸と連結し、前記モーターによって駆動される駆動ギアを有し、
前記フィルター駆動軸は、シャフト部と、前記シャフト部の両端部に配置されたフィルター移動ギア体と、を有し、
前記フィルター移動ギア体は、前記シャフト部の端部に配置され、前記駆動ギアと噛み合う伝達ギアと、前記伝達ギアと一体に形成されており、前記シャフト部において前記伝達ギアの内側に配置され、前記ラックギアと噛み合う搬送ギアと、を有し、
前記カートリッジが取り付けられた前記ケーシング内において、前記伝達ギアの軸位置に対する前記駆動ギアの軸位置が、前記ケーシングの正面視で上側かつ奥側、または、下側かつ奥側に位置している空気調和機の室内機。
【請求項２】
前記フィルターを清掃するブラシ、前記ブラシが取り付けられて前記ブラシを揺動又は回転させるブラシ駆動軸、及び、前記ブラシで除去された塵埃を収容する埃収容部を有する箱状のダストボックスと、
を備え、
前記モーターユニットは、前記ブラシ駆動軸と連結し、前記モーターによって駆動するブラシ駆動部を更に有し、
前記ダストボックスは、前記ケーシング内において、前記カートリッジの下側に着脱自在に配置される請求項１に記載の空気調和機の室内機。
【請求項３】
前記モーターユニットは、
前記駆動ギアが配置されているユニット壁部に係合穴が形成されており、
前記ダストボックスは、
前記ダストボックスが前記ケーシングの正規の位置に配置された状態において、前記モーターユニットと対向するボックス壁部に突出片を設けており、
前記突出片が前記係合穴に挿入されることで、前記ダストボックスが前記ケーシング内に固定される請求項２に記載の空気調和機の室内機。
【請求項４】
前記カートリッジは、
前記カートリッジに形成された開口部に着脱自在に配置される矩形状に形成されたフィルター押さえ部材を有し、
前記フィルター押さえ部材は、
前記カートリッジの内部側に凹んで段差を形成する下縁部を有し、
前記ダストボックスは、
前記ダストボックスが前記ケーシングの正規の位置に配置された状態において、前記ケーシングの前面側に位置する前壁部を有し、
前記カートリッジ及び前記ダストボックスが前記ケーシングの正規の位置に配置された状態において、前記前壁部が前記下縁部の前側に位置し、前記下縁部と接する請求項２又は３に記載の空気調和機の室内機。
【請求項５】
前記カートリッジ及び前記ダストボックスが前記ケーシングの正規の位置に配置された状態において、前記前壁部の上縁が前記段差と対向する請求項４に記載の空気調和機の室内機。
【請求項６】
前記フィルターは、前記開口部を通して前記カートリッジ内に挿入され、または、前記カートリッジから取り外される請求項４又は５に記載の空気調和機の室内機。
【請求項７】
前記カートリッジは、
前記フィルター駆動軸の両端側に位置する側壁部から突出するガイド突起を有し、
前記ケーシングには、前記ガイド突起を案内する第１案内溝が形成されており、
前記モーターユニットは、
前記駆動ギアが配置されているユニット壁部に、前記ガイド突起を案内する第２案内溝が形成されており、
前記モーターユニットが前記ケーシングの正規の位置に配置された状態において、前記第１案内溝と前記第２案内溝とが連続する請求項１〜６のいずれか１項に記載の空気調和機の室内機。
【請求項８】
前記カートリッジは、
前記フィルター駆動軸の両端側に位置する側壁部から膨出し、前記伝達ギアよりも大径の円筒形状に形成された円筒部を有し、
前記円筒部には、周方向の一部に切り欠き部が形成されており、
前記円筒部の内部に前記伝達ギアが配置されており、前記切り欠き部から前記伝達ギアの一部が露出している請求項１〜７のいずれか１項に記載の空気調和機の室内機。
【請求項９】
請求項１〜８のいずれか１項に記載の空気調和機の室内機を備えた空気調和機。
【発明の詳細な説明】
【技術分野】
【０００１】
本発明は、着脱式のカートリッジと、その内部を移動するフィルターを備えた空気調和機の室内機、及びこの室内機を備えた空気調和機に関するものである。
【背景技術】
【０００２】
従来の空気調和機の室内機には、ケーシングの上面部に吸込口が形成され、該吸込口に、ケーシング内に吸い込まれる空気から塵埃を除去するフィルターを備えたものがある。また、従来の空気調和機の室内機には、フィルターを自動で清掃する自動清掃機能を備えたものも提案されている（例えば、特許文献１参照）。特許文献１に記載の空気調和機の室内機は、フィルターを清掃する清掃機構、及び、該清掃機構にフィルターを移動させる移動手段を備えている。
【先行技術文献】
【特許文献】
【０００３】
【特許文献１】特開２００８−５７８８３号公報
【発明の概要】
【発明が解決しようとする課題】
【０００４】
フィルターの自動清掃機能を有する空気調和機の室内機においても、空気中に含まれる油分及びカビがエアフィルターへ付着してしまうと、自動清掃しきれない場合がある。そのため、手動でフィルターを清掃する等の目的のため、ケーシングからフィルターを備えたカートリッジが取り外される場合がある。そして、カートリッジがフィルターを移動させる伝達ギアを有し、ケーシングがフィルター搬送用モーターの駆動ギアを有する室内機においては、カートリッジをケーシングに再び取り付ける際に、伝達ギアの歯部を、駆動ギアの歯部に噛み合わせる必要がある。【０００５】
ユーザーが、カートリッジ内に配置されているフィルターを取り出して洗浄した後、フィルターを収容したカートリッジをケーシングの元の位置に戻す際に、カートリッジの伝達ギアと搬送用モーターの駆動ギアが正面から衝突すると歯が破損する恐れがある。また、伝達ギアの挿入が不完全であると駆動ギアから伝達ギアへ正規トルクを伝達できず、フィルターが規定位置まで搬送されず、あるいは、歯飛びによる動作不具合が発生する場合がある。【０００６】
本発明は、上記のような課題を解決するためになされたもので、ユーザーが、フィルターを備えたカートリッジをケーシングに取り付ける際に、伝達ギアと駆動ギアとが衝突により破損する恐れがなく、伝達ギアと駆動ギアとが確実に噛み合って回転トルクの不足を生じない空気調和機の室内機、及びこの室内機を備えた空気調和機を提供するものである。
【課題を解決するための手段】
【０００７】
本発明に係る空気調和機の室内機は、上面部に吸込口が形成され、吸込口よりも下方に吹出口が形成されたケーシングと、ケーシング内に設けられたファン及び熱交換器と、吸込口に配置され、ファンによってケーシングに吸い込まれる空気から塵埃を除去するフィルターと、ケーシングの奥行方向に移動させることで吸込口に着脱自在に配置されており、上面部及び下面部に通気口が形成され、フィルターを移動自在に収容し、フィルターをケーシングの前後方向に移動させるフィルター駆動軸を回転自在に支持するカートリッジと、フィルター駆動軸を駆動させるモーターを有し、ケーシングに着脱自在に配置されるモーターユニットと、を備え、フィルターは、対向する側縁部にそれぞれラックギアが形成され、モーターユニットは、フィルター駆動軸と連結し、モーターによって駆動される駆動ギアを有し、フィルター駆動軸は、シャフト部と、シャフト部の両端部に配置されたフィルター移動ギア体と、を有し、フィルター移動ギア体は、シャフト部の端部に配置され、駆動ギアと噛み合う伝達ギアと、伝達ギアと一体に形成されており、シャフト部において伝達ギアの内側に配置され、ラックギアと噛み合う搬送ギアと、を有し、カートリッジが取り付けられたケーシング内において、伝達ギアの軸位置に対する駆動ギアの軸位置が、ケーシングの正面視で上側かつ奥側、または、下側かつ奥側に位置しているものである。
【発明の効果】
【０００８】
本発明に係る空気調和機の室内機は、カートリッジが取り付けられたケーシング内において、伝達ギアの軸位置に対する駆動ギアの軸位置が、ケーシングの正面視で上側かつ奥側、または、下側かつ奥側に位置しているものである。そのため、空気調和機の室内機は、ケーシングに対するカートリッジの移動の際、伝達ギアと駆動ギアとが斜めに接触することによる力の分散と、それぞれのギアが持つ回転余裕とによって、スムーズに駆動ギアと伝達ギアとを噛み合わせることができる。その結果、ユーザーが、フィルターを備えたカートリッジをケーシングに取り付ける際に、空気調和機の室内機は、伝達ギアと駆動ギアとが衝突により破損する恐れがなく、伝達ギアと駆動ギアとが確実に噛み合って回転トルクの不足を生じることがない。
【図面の簡単な説明】
【０００９】
【図１】本発明の実施の形態１に係る空気調和機の室内機の斜視図である。
【図２】本発明の実施の形態１に係る空気調和機の室内機の断面図である。
【図３】本発明の実施の形態１に係る空気調和機の室内機の分解斜視図である。
【図４】本発明の実施の形態１に係る空気調和機の室内機のフィルターを示す斜視図である。
【図５】本発明の実施の形態１に係る空気調和機の室内機のカートリッジを示す斜視図である。
【図６】本発明の実施の形態１に係る空気調和機の室内機のカートリッジを示す分解斜視図である。
【図７】図５のカートリッジが配置された空気調和機の室内機の断面図である。
【図８】図６のフィルター移動ギア体の拡大図である。
【図９】図５のカートリッジと、カートリッジ内部のフィルター移動ギア体の分解斜視図である。
【図１０】図９のカートリッジにフィルター移動ギア体を配置した斜視図である。
【図１１】図５のカートリッジを外側から見た斜視図である。
【図１２】図３に示す室内機のＡ部拡大図である。
【図１３】図３のケーシングを構成する上部ケーシングと、モーターユニットの分解斜視図である。
【図１４】図１３の上部ケーシングにおいてモーターユニットを配置する嵌合部の拡大図である。
【図１５】図１３の上部ケーシングとモーターユニットとを組み合わせた斜視図である。
【図１６】図１３の上部ケーシングとモーターユニットとを組み合わせた側面図である。
【図１７】図１３のモーターユニットの斜視図である。
【図１８】図１３のモーターユニットの側面図である。
【図１９】図５のカートリッジをケーシングに取り付けた際の駆動ギアと伝達ギアとの関係を示す室内機の部分断面図である。
【図２０】図５のカートリッジをケーシングに取り付けた際の駆動ギアと伝達ギアとの関係を示す室内機の概念的な正面図である。
【図２１】図５のカートリッジをケーシングに取り付けた際の駆動ギアと搬送ギアとの関係を示す図である。
【図２２】図２１のフィルター押さえ部材の斜視図である。
【図２３】図２１のフィルター押さえ部材を、ケーシングに取り付けた図である。
【図２４】図３のダストボックスの斜視図である。
【図２５】図３のダストボックスの取付図である。
【図２６】図２２のフィルター押さえ部材と、図２４のダストボックスとの係合状態を示す断面図である。
【図２７】本発明の実施の形態２に係る空気調和機の構成例を示す模式図である。
【発明を実施するための形態】
【００１０】
以下、本発明の実施の形態に係る空気調和機の室内機、及びこの室内機を備えた空気調和機について図面等を参照しながら説明する。なお、図１を含む以下の図面では、各構成部材の相対的な寸法の関係及び形状等が実際のものとは異なる場合がある。また、以下の図面において、同一の符号を付したものは、同一又はこれに相当するものであり、このことは明細書の全文において共通することとする。また、理解を容易にするために方向を表す用語（例えば「上」、「下」、「右」、「左」、「前」、「後」など）を適宜用いるが、それらの表記は、説明の便宜上、そのように記載しているだけであって、装置あるいは部品の配置及び向きを限定するものではない。
【００１１】
実施の形態１．
［室内機１００］
図１は、本発明の実施の形態１に係る空気調和機の室内機１００の斜視図である。図２は、本発明の実施の形態１に係る空気調和機の室内機１００の断面図である。図１を含む以下の図面に示すＸ軸は、室内機１００の幅方向を示し、Ｙ軸は室内機１００の奥行方向を示し、Ｚ軸は室内機１００の上下方向を示すものである。より詳細には、室内機１００を正面から見たときＸ１側を左側、Ｘ２側を右側、Ｙ軸においてＹ１側を前側、Ｙ２側を後側、Ｚ軸においてＺ１側を上側、Ｚ２側を下側として室内機１００を説明する。また、明細書中における各構成部材同士の位置関係（例えば、上下関係等）は、原則として、室内機１００を使用可能な状態に設置したときのものである。
【００１２】
室内機１００は、冷媒を循環させる冷凍サイクルを利用することで、部屋等の空調空間に空調空気を供給するものである。この室内機１００は、室内空気を内部に吸い込むための吸込口２及び空調空気を空調対象域に供給するための吹出口３が形成されているケーシング１を有する。室内機１００はまた、このケーシング１内に収納され、吸込口２から室内空気を吸い込み、吹出口３から空調空気を吹き出せるファン８０と、冷媒と室内空気とが熱交換することで空調空気を作り出す熱交換器９０と、を有している。
【００１３】
ケーシング１は、吸込口２がケーシング１の上面部４に形成されており、吹出口３が吸込口２よりも下方に形成されている。なお、本実施の形態１では、ケーシング１の前面部５の下部、及び、ケーシング１の下面部６の前方に、吹出口３が形成されている。ファン８０及び熱交換器９０は、ケーシング１内において、吸込口２よりも空気の下流側となり吹出口３よりも空気の上流側となる位置に設けられている。
【００１４】
図３は、本発明の実施の形態１に係る空気調和機の室内機１００の分解斜視図である。また、室内機１００は、フィルター１０を収容したカートリッジ２０と、フィルター１０を清掃した塵埃を収容するダストボックス３０と、を備えている。フィルター１０は、ファン８０によってケーシング１に吸い込まれる空気から塵埃を除去するものであり、着脱自在にケーシング１の吸込口２に配置されている。フィルター１０は、カートリッジ２０内において移動自在に収容されている。このカートリッジ２０は、ケーシング１に対して奥行方向（Ｙ軸方向）に移動することで吸込口２に着脱自在に配置されている。また、ダストボックス３０は、ケーシング１内において、ファン８０の上流側に設けられている。ダストボックス３０は、ケーシング１に対して奥行方向（Ｙ軸方向）に移動することで、ケーシング１内において、カートリッジ２０の下側に着脱自在に配置される。
【００１５】
なお、本実施の形態１に係る室内機１００は、ケーシング１の前面部５の前方に、意匠パネル８を開閉自在に設けている。そして、意匠パネル８を閉じることにより、カートリッジ２０及びダストボックス３０の前方を覆う構成としている。これにより、室内機１００の意匠性を向上させることができる。室内機１００は、ケーシング１の背面部７を部屋等の空調空間の壁部に対向させて室内機１００を固定させる。フィルター１０、カートリッジ２０、及びダストボックス３０等の詳細は、後述する。
【００１６】
［詳細構成］
続いて、フィルター１０、カートリッジ２０、及びダストボックス３０等の詳細構成について説明する。
【００１７】
（フィルター１０）
図４は、本発明の実施の形態１に係る空気調和機の室内機１００のフィルター１０を示す斜視図である。フィルター１０は、板状に形成されており、外枠１１、捕捉部１２及び格子１３を備えている。外枠１１は、フィルター１０の外周部を構成するものであり、額縁形状に形成されている。この外枠１１の内周側には、網目状部材で形成され、室内空気から塵埃を捕捉する捕捉部１２が設けられている。また、外枠１１の内周側には、外枠１１の変形を抑制する格子１３が設けられている。フィルター１０の対向する側縁部１４及び側縁部１５には、ラックギア１６が形成されている。このフィルター１０は、カートリッジ２０に収容されており、カートリッジ２０内においてケーシング１の前後方向に移動自在に配置されている。
【００１８】
（カートリッジ２０）
図５は、本発明の実施の形態１に係る空気調和機の室内機１００のカートリッジ２０を示す斜視図である。図６は、本発明の実施の形態１に係る空気調和機の室内機１００のカートリッジ２０を示す分解斜視図である。カートリッジ２０は、平面視で略直方体形状をしており、図３に示すように、ケーシング１に対して奥行方向に移動させることで吸込口２に着脱自在に配置されている。より詳細には、カートリッジ２０は、ケーシング１に対して前方から奥側へと挿入されることでケーシング１の吸込口２取り付けられ、ケーシング１から前方へ引き抜くことでケーシング１の吸込口２から取り外される。カートリッジ２０は、ケーシング１の正規の位置に配置された状態において、ケーシング１の上面部４を構成する。カートリッジ２０は、ケーシング１の幅方向（Ｘ軸方向）において、２つ配置される。
【００１９】
このカートリッジ２０は、図５及び図６に示すように、上面部を形成する第１フレーム２１、下面部を形成する第２フレーム２２を備えている。また、第１フレーム２１及び第２フレーム２２には、通気口２３が形成されている。また、第１フレーム２１及び第２フレーム２２に形成された各通気口２３には、カートリッジ２０の強度を確保するための桟２４が設けられている。ここで、ケーシング１は、吸込口２が大きく開口形成されている。このため、ケーシング１の強度を確保するためには、吸込口２近傍の強度を確保する必要がある。室内機１００は、桟２４によって強度が確保されたカートリッジ２０によって、吸込口２近傍の強度、つまり、ケーシング１の上面部４の強度が確保されている。また、第１フレーム２１の左右の端縁部には、カートリッジ２０をケーシング１に取り付ける際に、後述するケーシング１に形成された第１案内溝及びモーターユニット５０に形成された第２案内溝に挿入されるガイド突起４０が設けられている。換言すれば、カートリッジ２０は、フィルター駆動軸６０の両端側に位置する側壁部２６ａ及び側壁部２６ｂから突出するガイド突起４０を有している。ガイド突起４０は、カートリッジ２０の奥行方向（Ｙ軸方向）において、カートリッジ２０の端部２９とは反対側の端部２９ｂに形成されている。さらに、第１フレーム２１の左右の端縁部には、平板状に形成され、第１フレーム２１の左右の端縁部に沿って前後方向に延設されているリブ２５が設けられている。すなわち、カートリッジ２０は、後述するフィルター駆動軸６０の両端側に位置する側壁部２６ａ及び側壁部２６ｂから突出し、前後方向に延設されたリブ２５を有する。なお、リブ２５の突出量は、後述する円筒部６７の膨出量よりも大きい。
【００２０】
図７は、図５のカートリッジ２０が配置された空気調和機の室内機１００の断面図である。なお、図７では、意匠パネル８を省略している。図７に示すように、積層された第１フレーム２１及び第２フレーム２２の間には、フィルター１０の上側移動経路２０ａとなる空間が形成される。上側移動経路２０ａは、ケーシング１の上面部４に沿って、ケーシング１の前後方向に形成されている。また、第２フレーム２２には、フィルター１０の下側移動経路２０ｂとなる空間が形成される。下側移動経路２０ｂは、上側移動経路２０ａの下方に配置され、フィルター１０を巻き取るための渦巻き部２０ｂ１を有している。渦巻き部２０ｂ１を有する下側移動経路２０ｂは、側壁部２６ａ及び側壁部２６ｂに形成された溝部によって構成されている。フィルター１０は、側壁部２６ａ及び側壁部２６ｂとの間において第１フレーム２１と第２フレーム２２との間に形成された開口部２７通して、カートリッジ２０内に挿入され、または、カートリッジ２０から取り外される。カートリッジ２０の開口部２７には、図５〜図７に示す、矩形状に形成されたフィルター押さえ部材２８が着脱自在に配置されている。フィルター押さえ部材２８は、取手部２８ａを押し下げることでカートリッジ２０から取り外すことができる。
【００２１】
室内機１００は、運転状態（冷房運転状態及び暖房運転状態）の間、フィルター１０は、カートリッジ２０の上側移動経路２０ａに位置する構成となっている。また、室内機１００は、フィルター１０を清掃する際、フィルター１０がカートリッジ２０の下側移動経路２０ｂに移動する構成となっている。上側移動経路２０ａと下側移動経路２０ｂとの間のフィルター１０の移動は、例えば次のような駆動機構によって実現できる。
【００２２】
カートリッジ２０がケーシング１の正規の位置に配置された状態において、ケーシング１の前方側に配置されるカートリッジ２０の端部２９には、フィルター駆動軸６０が回転自在に支持されている。フィルター駆動軸６０は、カートリッジ２０内において、フィルター１０をケーシング１の前後方向に移動させるものである。フィルター駆動軸６０は、カートリッジ２０をケーシング１に取り付けた状態において左右の幅方向（Ｘ軸方向）に沿うように、カートリッジ２０内に配置されている。フィルター駆動軸６０は、開口部２７に対向するように設けられている。このフィルター駆動軸６０は、シャフト部６１と、シャフト部６１の両端部に配置されたフィルター移動ギア体６２と、を有する。
【００２３】
図８は、図６のフィルター移動ギア体６２の拡大図である。フィルター移動ギア体６２は、搬送ギア６３、ボス部６４、及び、モーターユニット５０の駆動ギア５１に連結される伝達ギア６５を備えている。搬送ギア６３は、伝達ギア６５と一体に形成されており、シャフト部６１において伝達ギア６５の内側に配置されるものである。また、搬送ギア６３は、フィルター１０の側縁部１４及び側縁部１５と対向する位置に配置されている。搬送ギア６３は、フィルター１０のラックギア１６と噛み合うものである。ボス部６４は、搬送ギア６３の内側に設けられたものである。伝達ギア６５は、搬送ギア６３の外側に設けられており、シャフト部６１の端部に配置されている。伝達ギア６５は、駆動ギア５１と噛み合うものである。すなわち、フィルター移動ギア体６２は、シャフト部６１の端部に配置されており、シャフト部６１の端部から内側に向かって、伝達ギア６５、搬送ギア６３、ボス部６４、の順番に位置するように一体に構成されている。フィルター移動ギア体６２を構成する伝達ギア６５、搬送ギア６３、ボス部６４、には連通する貫通孔が形成されており貫通孔の内周壁は、シャフト部６１の周方向の形状と嵌合するように溝部６２ａが形成されている。フィルター移動ギア体６２は、シャフト部６１の周方向の形状と溝部６２ａとが嵌合することで、シャフト部６１と、両端に配置されたフィルター移動ギア体６２とが一体に回動する。
【００２４】
図９は、図５のカートリッジと、カートリッジ内部のフィルター移動ギア体の分解斜視図である。図１０は、図９のカートリッジにフィルター移動ギア体を配置した斜視図である。図１１は、図５のカートリッジを外側から見た斜視図である。フィルター駆動軸６０は、以下のように、カートリッジ２０の端部２９に回転自在に保持されている。図９に示すように、カートリッジ２０の端部２９における側壁部２６ａ及び側壁部２６ｂには、フィルター移動ギア体６２の伝達ギア６５よりも大径の円筒形状に形成された円筒部６７が形成されている。
【００２５】
円筒部６７は、フィルター駆動軸６０の両端側に位置する側壁部２６ａ及び側壁部２６ｂからカートリッジ２０の外側に膨出している。円筒部６７は、膨出方向の先端部を構成する円形状部６７ａと、円形状部６７ａと側壁部２６ａとの間に位置する周壁部６７ｂとを有する。また、円筒部６７は、膨出方向の先端部を構成する円形状部６７ａと、円形状部６７ａと側壁部２６ｂとの間に位置する周壁部６７ｂとを有する。
【００２６】
円筒部６７は、円形状部６７ａの中心から内側方向に突出する円柱状の支持部６７ｅを有している。支持部６７ｅが伝達ギア６５に挿入されることにより、図１０に示すように、フィルター駆動軸６０は、カートリッジ２０の端部２９に回転自在に保持される。また、伝達ギア６５は、支持部６７ｅに支持されている状態では、円形状部６７ａと周壁部６７ｂと一定の間隔をあけて、円形状部６７ａ及び周壁部６７ｂに覆われている。なお、円筒部６７は、図１１に示すように、周方向の一部に切り欠き部６７ｃが形成されている。切り欠き部６７ｃは、円形状部６７ａが円弧状に切り欠かれており、また、円形状部６７ａの切り欠き部分に沿って、周壁部６７ｂの膨出方向の先端側から基部側にかけて膨出方向の壁の一部が切り欠かれている。切り欠き部６７ｃは、円形状部６７ａを正面視した場合に、渦巻き部２０ｂ１側の斜め上部分に形成されている。換言すれば、カートリッジ２０がケーシング１の正規の位置に配置された状態において、カートリッジ２０は、奥側上部分が開口するように円筒部６７に切り欠き部６７ｃが形成されている。なお、切り欠き部６７ｃは、渦巻き部２０ｂ１側の斜め上部分に形成されていることが望ましいが、伝達ギア６５と駆動ギア５１との位置関係によっては渦巻き部２０ｂ１側の斜め下部分に形成されていてもよい。この場合、カートリッジ２０がケーシング１の正規の位置に配置された状態において、カートリッジ２０は、奥側下部分が開口するように円筒部６７に切り欠き部６７ｃが形成されている。図１１に示すように、カートリッジ２０は、円筒部６７の内部に伝達ギア６５が配置されており、切り欠き部６７ｃから伝達ギア６５の一部が露出している。なお、切り欠き部６７ｃは、リブ２５と対向し、リブ２５の突出量は、円筒部６７の膨出量よりも大きい。そのため、ユーザーが、カートリッジ２０を落下させてしまったとしても、伝達ギア６５は、円筒部６７とリブ２５とによって保護され、ギアの歯先が平らな床面に接することがない。
【００２７】
図１２は、図３に示す室内機１００のＡ部拡大図である。図１３は、図３のケーシング１を構成する上部ケーシング１ａと、モーターユニット５０の分解斜視図である。図１４は、図１３の上部ケーシング１ａにおいてモーターユニット５０を配置する嵌合部の拡大図である。図１５は、図１３の上部ケーシング１ａとモーターユニット５０とを組み合わせた斜視図である。図１６は、図１３の上部ケーシング１ａとモーターユニット５０とを組み合わせた側面図である。フィルター駆動軸６０は、モーターユニット５０に連結されて駆動される。モーターユニット５０は、図３及び図１２に示すようにケーシング１の前方上部に着脱自在に配置される。図１３に示すように、ケーシング１の上部枠体を構成する上部ケーシング１ａの幅方向（Ｘ軸方向）の中央には、前部枠部１ａ１と後部枠部１ａ２との間に仕切壁１ｂが設けられている。モーターユニット５０は、仕切壁１ｂの前方部に設けられた嵌合部１ｃに嵌合され、例えばネジ等を用いて固定される。
【００２８】
仕切壁１ｂの両側にはカートリッジ２０が配置される。そのため、図１２〜図１６に示すように、ケーシング１を構成する仕切壁１ｂの壁部には、カートリッジ２０を挿入し移動させる際に、カートリッジ２０に設けられたガイド突起４０を案内するための第１案内溝１ｄがケーシング１の前後方向に形成されている。同様に、モーターユニット５０のユニット壁部５０ａには、カートリッジ２０を挿入する際に、カートリッジ２０に設けられたガイド突起４０を案内するための第２案内溝５０ｄがケーシング１の前後方向に形成されている。なお、ユニット壁部５０ａには、駆動ギア５１が配置されており、駆動ギア５１の上方に第２案内溝５０ｄが形成されている。モーターユニット５０を仕切壁１ｂに取り付けると、図１５及び図１６に示すように、仕切壁１ｂの第１案内溝１ｄと、モーターユニット５０の第２案内溝５０ｄとが連結してカートリッジ２０の挿入経路を形成する。室内機１００は、モーターユニット５０がケーシング１の正規の位置に配置された状態において、第１案内溝１ｄと第２案内溝５０ｄとが連続する構成である。また、上部ケーシング１ａの側面部１ｅには、カートリッジ２０のガイド突起４０が案内される第３案内溝１ｆが形成されている。
【００２９】
図１７は、図１３のモーターユニット５０の斜視図である。図１８は、図１３のモーターユニット５０の側面図である。モーターユニット５０は、カートリッジ２０内に収容されたフィルター１０をケーシング１の前後方向に移動させると共に、ブラシ３１を駆動させる。モーターユニット５０は、フィルター駆動軸６０を駆動させるモーター５２を有する。また、モーターユニット５０は、モーター５２と歯車を介して接続されており、フィルター駆動軸６０と連結する駆動ギア５１を備えている。また、モーターユニット５０は、後述するブラシ駆動軸３２と連結し、モーター５２によって駆動するブラシ駆動部５３を有する。ブラシ駆動部５３は、歯車を介してモーター５２と接続されており、モーター５２が回転することで揺動又は回転する構成となっている。
【００３０】
駆動ギア５１は、モーターユニット５０を構成する左右の両ユニット壁部５０ａにそれぞれ配置されている。つまり、モーター５２は、駆動ギア５１を用いて、モーターユニット５０の左右の両側に配置されているカートリッジ２０のフィルター駆動軸６０をそれぞれ駆動することができる。なお、図１７及び図１８に示すモーター５２は、モーターユニット５０内に収容されていることを示すものであり、モーター５２の形態及び設置位置を限定するものではない。駆動ギア５１は、フィルター駆動軸６０の端部、つまり、フィルター移動ギア体６２の伝達ギア６５と噛み合わされるものである。図８に示すように、フィルター移動ギア体６２の伝達ギア６５の外周部に、少なくとも１つの凸部６５ａが形成されている。また、図１７及び図１８に示すように、モーターユニット５０の駆動ギア５１の外周部には、少なくとも１つ以上の凸部５１ａが形成されている。そして、伝達ギア６５の凸部６５ａが、駆動ギア５１の凸部５１ａと噛み合わされることにより、フィルター駆動軸６０とモーターユニット５０の駆動ギア５１とが連結される構成となっている。なお、駆動ギア５１と伝達ギア６５とは、回転方向に遊びをもたせた回転余裕を持っている。
【００３１】
図１９は、図５のカートリッジ２０をケーシング１に取り付けた際の駆動ギア５１と伝達ギア６５との関係を示す室内機１００の部分断面図である。図２０は、図５のカートリッジ２０をケーシング１に取り付けた際の駆動ギア５１と伝達ギア６５との関係を示す室内機１００の概念的な正面図である。図２１は、図５のカートリッジ２０をケーシング１に取り付けた際の駆動ギア５１と搬送ギア６３との関係を示す図である。カートリッジ２０が、ケーシング１に挿入され、ケーシング１の正規の位置に配置されると、カートリッジ２０内に配置されたフィルター駆動軸６０の伝達ギア６５と、モーターユニット５０の駆動ギア５１とが連結される。図１９に示すように、カートリッジ２０がケーシング１の正規の位置に配置されると、駆動ギア５１に軸位置５１ｃは、伝達ギア６５の軸位置５１ｃと比較してケーシング１の奥側（Ｙ２側）に位置する。また、カートリッジ２０がケーシング１の正規の位置に配置されると、図２０に示すように、駆動ギア５１の軸位置５１ｃは、伝達ギア６５の軸位置６５ｃに対して上方（Ｚ１側）に位置している。すなわち、駆動ギア５１の軸心を通る仮想軸線５１ｆは、伝達ギア６５の軸心を通る仮想軸線６５ｆよりも上方に位置している。室内機１００は、カートリッジ２０が取り付けられたケーシング１内において、伝達ギア６５の軸位置６５ｃに対する駆動ギア５１の軸位置５１ｃが、ケーシング１の正面視で上側かつ奥側に位置することが望ましい。なお、室内機１００は、駆動ギア５１の軸位置５１ｃが、上下方向（Ｚ軸方向）において、伝達ギア６５の軸位置６５ｃと同じ位置でなければよく、駆動ギア５１の軸位置５１ｃが、伝達ギア６５の軸位置６５ｃに対して下方（Ｚ２側）に位置していてもよい。すなわち、駆動ギア５１の軸心を通る仮想軸線５１ｆ１が、伝達ギア６５の軸心を通る仮想軸線６５ｆよりも下方に位置していてもよい。室内機１００は、カートリッジ２０が取り付けられたケーシング１内において、伝達ギア６５の軸位置６５ｃに対する駆動ギア５１の軸位置５１ｃが、ケーシングの正面視で下側かつ奥側に位置していてもよい。
【００３２】
室内機１００は、図１９に示すように、室内機１００の側面視において、駆動ギア５１の軸心５１ｇを通る水平面Ｆと、駆動ギア５１の軸心５１ｇと伝達ギア６５の軸心６５ｇとを結ぶ直線Ｌとで作る室内機１００の前方側の角度Ｒが、４５°以上９０°未満であることが望ましい。角度Ｒが水平に近いと、カートリッジ２０をケーシング１に挿入する際に、伝達ギア６５と駆動ギア５１との接触に水平成分が多くなり、伝達ギア６５の凸部６５ａと、駆動ギア５１の凸部５１ａとが正面衝突する恐れがあるからである。
【００３３】
フィルター駆動軸６０の伝達ギア６５と、モーターユニット５０の駆動ギア５１とを連結した状態でモーター５２を駆動すると、まず、モーター５２と歯車を介して連結された駆動ギア５１が回転駆動する。次に、駆動ギア５１が回転駆動することで、駆動ギア５１と噛み合っている伝達ギア６５もまた回転駆動する。そして、伝達ギア６５を介して駆動ギア５１と連結されたフィルター駆動軸６０も、回転駆動することとなる。これにより、フィルター駆動軸６０の搬送ギア６３と噛み合ったラックギアを有するフィルター１０が、カートリッジ２０内において前後方向に移動できる。つまり、図２１に示す上側移動経路２０ａに位置するフィルター１０は、端部２９で反転して下側移動経路２０ｂに移動し、下側移動経路２０ｂに設けられた渦巻き部２０ｂ１に移動することができる。また、下側移動経路２０ｂに位置するフィルター１０は、端部２９で反転して上側移動経路２０ａに移動することができる。これらの移動の際に、カートリッジ２０の端部２９を通過するフィルター１０が、ブラシ３１によって清掃される。なお、ブラシ３１は、後述するダストボックス３０に設けられている。
【００３４】
フィルター駆動軸６０の搬送ギア６３とフィルター１０のラックギア１６との間で歯飛びが発生した場合、フィルター１０が誤動作してしまう場合がある。例えば、フィルター１０の側縁部１４及び側縁部１５の移動量が異なった場合、フィルター１０が移動経路内において引っ掛かってしまうことがある。このため、カートリッジ２０には、フィルター押さえ部材２８を設けている。このフィルター押さえ部材２８は、カートリッジ２０の開口部２７の一部を開閉自在に覆うものである。また、このフィルター押さえ部材２８は、開口部２７の一部を塞いでいる状態において、フィルター１０がフィルター駆動軸６０の搬送ギア６３から外れないように、フィルター１０の動きを規制するものである。フィルター押さえ部材２８を設けることにより、フィルター駆動軸６０の搬送ギア６３とフィルター１０のラックギア１６との間で歯飛びが発生することを防止できる。
【００３５】
図２２は、図２１のフィルター押さえ部材２８の斜視図である。図２３は、図２１のフィルター押さえ部材２８を、ケーシング１に取り付けた図である。第１フレーム２１及び第２フレーム２２の間に形成された開口部２７には、フィルター押さえ部材２８が着脱自在に配置されている。フィルター押さえ部材２８は、カートリッジ２０がケーシング１の正規の位置に配置された状態において、意匠パネル８を開くと、ケーシング１の前面側に位置している。フィルター押さえ部材２８は、矩形状に形成されており、上縁部２８ｂが第１フレーム２１と接するように取り付けられる。フィルター押さえ部材２８の長手方向は、カートリッジ２０がケーシング１の正規の位置に配置された状態において、ケーシング１の幅方向（Ｘ軸方向）である。ユーザーは、フィルター押さえ部材２８をカートリッジ２０から取り外し、第１フレーム２１及び第２フレーム２２の間に形成された開口部２７を開放することで、フィルター１０を挿入し、あるいは、取り出すことができる。フィルター押さえ部材２８は、取手部２８ａを押し下げることでカートリッジ２０の開口部２７から取り外すことができる。
【００３６】
フィルター押さえ部材２８は、カートリッジ２０の内部側に凹んで段差２８ｄを形成する下縁部２８ｃを有する。下縁部２８ｃは、意匠パネル８を開いた際に前面側に位置して上縁部２８ｂを構成する前面部２８ｅに対して、奥側に凹むように形成されており、前面部２８ｅとの間に段差２８ｄを形成している。この下縁部２８ｃは、後述するダストボックス３０の前壁部３７と接する。
【００３７】
（ダストボックス３０）
図２４は、図３のダストボックス３０の斜視図である。図２５は、図３のダストボックス３０の取付図である。図２６は、図２２のフィルター押さえ部材２８と、図２４のダストボックス３０との係合状態を示す断面図である。ダストボックス３０は、略直方体の箱状に構成されており、図３に示すように、ケーシング１に対して奥行方向に移動させることでカートリッジ２０の下側のケーシング１内に着脱自在に配置される。より詳細には、ダストボックス３０は、ケーシング１に対して前方から奥側へと挿入されることでケーシング１内に配置され、ケーシング１から前方へ引き抜くことでケーシング１から取り外される。なお、ダストボックス３０のケーシング１への固定方法は後述する。ダストボックス３０は、ケーシング１の正規の位置に配置された状態において、ケーシング１の幅方向（Ｘ軸方向）において、２つ配置される。ダストボックス３０は、ケーシング１内においてカートリッジ２０の前方向の端部２９側に配置される。ダストボックス３０は、ダストボックス３０がケーシング１の正規の位置に配置された状態において、意匠パネル８を開くと、ケーシング１の前面側に位置している。ダストボックス３０の長手方向は、ダストボックス３０がケーシング１の正規の位置に配置された状態において、ケーシング１の幅方向（Ｘ軸方向）である。
【００３８】
ダストボックス３０は、フィルター１０を清掃するブラシ３１、ブラシ３１が取り付けられてブラシ３１を揺動又は回転させるブラシ駆動軸３２、及び、ブラシ３１で除去された塵埃を収容する埃収容部３３を有する。
【００３９】
ブラシ３１は、揺動又は回転することで、フィルター１０の塵埃を除去するものである。ブラシ３１は、ブラシ３１を揺動又は回転させるブラシ駆動軸３２と接続している。このブラシ駆動軸３２は、埃収容部３３の両側面部３４に回転自在に保持されている。ブラシ駆動軸３２は、モーターユニット５０のブラシ駆動部５３に連結され、モーターユニット５０に収容されたモーター５２によって駆動される。ブラシ駆動軸３２とモーターユニット５０のブラシ駆動部５３とを連結した状態でモーター５２を駆動すると、モーター５２と歯車を介して連結されたブラシ駆動部５３が揺動又は回転する。これに伴って、ブラシ駆動軸３２及びブラシ３１も揺動又は回転することとなる。これにより、ダストボックスから突出したブラシ３１が、カートリッジ２０から露出したフィルター１０の塵埃を除去する。フィルター１０から除去された塵埃は、ブラシ３１の下方に設けられている埃収容部３３に収容される。
【００４０】
埃収容部３３は、箱状に形成されている。ダストボックス３０がケーシング１の正規の位置に配置された状態において、モーターユニット５０のユニット壁部５０ａと対向する埃収容部３３の側面部３４には、モーターユニット５０と係合する突出片３５が設けられている。突出片３５が、図１７及び図１８に示す、モーターユニット５０に形成された係合穴５５に挿入されることで、ダストボックス３０は、モーターユニット５０を介してケーシング１に固定される。なお、係合穴５５は、駆動ギア５１が配置されているユニット壁部５０ａに形成されており、駆動ギア５１の前方かつ下方に形成されている。ダストボックス３０は、埃収容部３３の突出片３５が形成されている側と反対側の側面部３４に固定レバー３６を有している。固定レバー３６には、バネ等の弾性手段が設けられており、ユーザーが固定レバー３６を操作することで、図示しない突出片が側面部３４から突出し若しくは側面部３４内に収容される。固定レバー３６の突出片が、ケーシング１に形成された図示しない凹部に挿入されることで、ダストボックス３０は、ケーシング１に固定される。なお、側面部３４は、本発明の「ボックス壁部」に相当する。
【００４１】
埃収容部３３は、ダストボックス３０がケーシング１の正規の位置に配置された状態において、ケーシング１の前面側に位置する前壁部３７を有する。前壁部３７の上縁部３７ａは、カートリッジ２０及びダストボックス３０がケーシング１の正規の位置に配置された状態において、カートリッジ２０の下縁部２８ｃの前側に位置し、下縁部２８ｃと接する。前壁部３７が、カートリッジ２０の下縁部２８ｃの前側に位置し、下縁部２８ｃと接することで、ダストボックス３０は、カートリッジ２０の前方の移動を規制している。そのため、ダストボックス３０は、フィルター１０の自動清掃中、カートリッジ２０が、前方に飛び出してくるのを押さえることができる。また、ダストボックス３０は、カートリッジ２０及びダストボックス３０がケーシング１の正規の位置に配置された状態において、前壁部３７の上縁がカートリッジ２０の段差２８ｄと対向する。前壁部３７の上縁がカートリッジ２０の段差２８ｄと対向することで、下側に移動させることで取り外しできるフィルター押さえ部材２８の取り外しを防ぐことができる。
【００４２】
埃収容部３３は、回転軸３９ａを備えて埃収容部３３に回転自在に取り付けられる蓋部３９を有する。蓋部３９は、埃収容部３３の下部開口を開閉自在に閉塞する。つまり、ダストボックス３０は、蓋部３９を開くことにより、埃収容部３３に溜まった塵埃を取り出せる構成になっている。
【００４３】
［動作説明］
続いて、フィルター１０、カートリッジ２０及びダストボックス３０の着脱動作（取り付け及び取り外し動作）について説明する。
【００４４】
（フィルター１０、カートリッジ２０及びダストボックス３０の着脱動作）
フィルター１０を手動で清掃する場合には、カートリッジ２０をケーシング１から取り外すこととなる。また、ダストボックス３０の埃収容部３３に溜まった塵埃を廃棄する場合には、ダストボックス３０をケーシング１から取り外すこととなる。
【００４５】
室内機１００は、カートリッジ２０をケーシング１から取り外す際、ケーシング１の前面側に設けられた意匠パネル８を開き、初めにダストボックス３０を取り外す。ダストボックス３０の前壁部３７が、フィルター押さえ部材２８の下縁部２８ｃと接しており、カートリッジ２０の前方の移動を規制しているからである。
【００４６】
ダストボックス３０をケーシング１から取り外す際には、ダストボックス３０の固定レバー３６のレバーを押し下げ弾性体を収縮させて、突出片とケーシング１との係合を解除する。その後、モーターユニット５０の係合穴５５からダストボックス３０の突出片３５を抜き出すことで、ダストボックス３０をケーシング１から取り外すことができる。その後、ダストボックス３０の蓋部３９を開き、ダストボックス３０の埃収容部３３に溜まった塵埃を廃棄する。
【００４７】
ダストボックス３０を取り外すことにより、カートリッジ２０は前方へ移動可能となる。その後、カートリッジ２０を前方へ引き抜くことにより、カートリッジ２０をケーシング１から取り外すことができる。
【００４８】
カートリッジ２０からフィルター１０の取り外す場合、カートリッジ２０のフィルター押さえ部材２８を下方に移動させることでフィルター押さえ部材２８をカートリッジ２０から取り外す。これにより、フィルター１０のラックギア１６とフィルター移動ギア体６２の搬送ギア６３との噛み合いが解除され、フィルター１０が取り外し可能な状態となる。この状態において、フィルター１０をカートリッジ２０の開口部２７から引き抜くことにより、フィルター１０をカートリッジ２０から取り外すことができる。
【００４９】
フィルター１０をカートリッジ２０に取り付ける場合、フィルター押さえ部材２８を取り外した状態において、開口部２７からカートリッジ２０の上側移動経路２０ａにフィルター１０を挿入する。その後、フィルター押さえ部材２８を閉じることにより、フィルター１０のラックギア１６とフィルター移動ギア体６２の搬送ギア６３とが噛み合わされる。
【００５０】
カートリッジ２０及びダストボックス３０は、前方からケーシング１に押し込み、該ケーシング１に取り付けることとなる。カートリッジ２０を前方からケーシング１に押し込む際、カートリッジ２０の両端に形成された一方のガイド突起４０を、図１５及び図１６に示す仕切壁１ｂの第１案内溝１ｄとモーターユニット５０の第２案内溝５０ｄとによって連続して形成された案内溝に挿入させる。また、カートリッジ２０の他の一方のガイド突起４０を、図１３に示す、上部ケーシング１ａの側面部１ｅに形成された第３案内溝１ｆに挿入させる。この状態でカートリッジ２０をさらにケーシング１の後方へ押し込んでいくと、カートリッジ２０のガイド突起４０は、第２案内溝５０ｄ及び第１案内溝１ｄにより形成される案内溝と、第３案内溝１ｆとにより案内され、カートリッジ２０は正規の取付位置に導かれる。そして、カートリッジ２０に設けられたフィルター駆動軸６０の伝達ギア６５と、モーターユニット５０の駆動ギア５１とが連結される。ユーザーによるカートリッジ２０の装着動作によって、伝達ギア６５は前方から駆動ギア５１に接近する。室内機１００は、モーター５２の駆動ギア５１の軸位置５１ｃが、伝達ギア６５の軸位置６５ｃよりも上側かつ奥側に位置しているものである。もしくは、室内機１００は、モーター５２の駆動ギア５１の軸位置５１ｃが、伝達ギア６５の軸位置６５ｃよりも下側かつ奥側に位置しているものである。そのため、室内機１００は、伝達ギア６５と駆動ギア５１とが斜めに接触することによる力の分散と、それぞれのギアが持つ回転余裕と、によってスムーズに駆動ギア５１と伝達ギア６５とが噛み合う。
【００５１】
その後、ダストボックス３０が、ケーシング１に取り付けられる。ダストボックス３０の突出片３５は、モーターユニット５０に形成された係合穴５５に挿入される。そして、ユーザーは、固定レバー３６を操作し、固定レバー３６の突出片をケーシング１に係合させてダストボックス３０をケーシング１に固定させる。ダストボックス３０をケーシング１に固定すると、ダストボックス３０の前壁部３７は、カートリッジ２０の下縁部２８ｃの前側に位置し、下縁部２８ｃと接する。ダストボックス３０の前壁部３７が、カートリッジ２０の下縁部２８ｃの前側に位置し、下縁部２８ｃと接することで、カートリッジ２０の前方への移動が規制される。
【００５２】
以上のように室内機１００は、モーター５２の駆動ギア５１の軸位置５１ｃが、伝達ギア６５の軸位置６５ｃよりも上側かつ奥側に位置しているものである。もしくは、室内機１００は、モーター５２の駆動ギア５１の軸位置５１ｃが、伝達ギア６５の軸位置６５ｃよりも下側かつ奥側に位置しているものである。そのため、室内機１００は、ユーザーがカートリッジ２０をケーシング１に挿入する際に、伝達ギア６５と駆動ギア５１とが斜めに接触することにより力の分散が図られると共に、それぞれのギアが持つ回転余裕によって、スムーズに駆動ギア５１と伝達ギア６５とを噛み合わせることができる。その結果、ユーザーが、フィルター１０を備えたカートリッジ２０をケーシング１に取り付ける際に、室内機１００は、伝達ギア６５と駆動ギア５１とが衝突により破損する恐れがなく、伝達ギア６５と駆動ギア５１とが確実に噛み合って回転トルクの不足を生じることがないものである。一般に、ユーザーによるカートリッジの装着動作によって、伝達ギアは前方から駆動ギアに接近するが、伝達ギアと駆動ギアとが正面衝突するとギアの歯が破損してしまう恐れがある。室内機１００は、伝達ギア６５と駆動ギア５１とが斜めに接触することにより力の分散が図られると共に、それぞれのギアが持つ回転余裕によってスムーズに駆動ギア５１と伝達ギア６５とが噛み合うことができる。
【００５３】
また、室内機１００は、カートリッジ２０及びダストボックス３０がケーシング１の正規の位置に配置された状態において、前壁部３７が下縁部２８ｃの前側に位置し、下縁部２８ｃと接する。そのため、ダストボックス３０は、カートリッジ２０の前方への移動を規制することができる。その結果、モーター５２の駆動ギア５１と伝達ギア６５との軸管距離を保持することができ、ギア同士のかみ合わせを確保することができる。なお、室内機１００は、カートリッジ２０を支持する部品として、ダストボックス３０を用いているが、支持することのみを目的とした専用のストッパー部品を用いても良い（図示なし）。しかし、室内機１００は、ダストボックス３０を用いることで、専用のストッパーが不要となるため部品点数の削減することができる。また、ユーザーがカートリッジ２０のための専用のストッパーを操作することなくカートリッジ２０とダストボックス３０の両方の着脱を実施することが可能となり、ユーザーによる室内機１００のお手入れ時の作業の手順を減らすことができる。
【００５４】
また、室内機１００は、カートリッジ２０及びダストボックス３０がケーシング１の正規の位置に配置された状態において、前壁部３７の上縁が段差２８ｄと対向するものである。そのため、下側に移動させることで取り外すことができるフィルター押さえ部材２８の下方への移動を規制し、意図しないフィルター押さえ部材２８の取り外しを防ぐことができる。
【００５５】
また、室内機１００は、ケーシング１に、ガイド突起４０を案内する第１案内溝１ｄが形成されており、モーターユニット５０に、ガイド突起４０を案内する第２案内溝５０ｄが形成されている。そして、室内機１００は、モーターユニット５０がケーシング１の正規の位置に配置された状態において、第１案内溝１ｄと第２案内溝５０ｄとが連続するものである。そのため、室内機１００は、モーターユニット５０がカートリッジ２０の案内溝を形成することで筐体を小型化することができる。また、室内機１００は、カートリッジ２０の案内溝を形成するための部品を少なくすることができ、部品点数もしくは材料を削減することができる。
【００５６】
さらに、室内機１００は、カートリッジが、フィルター駆動軸６０の両端側に位置する側壁部２６ａから膨出し、伝達ギア６５よりも大径の円筒形状に形成された円筒部６７を有している。室内機１００は、円筒部６７には、周方向の一部に切り欠き部６７ｃが形成されており、円筒部６７の内部に伝達ギア６５が配置されており、切り欠き部６７ｃから伝達ギア６５の一部が露出しているものである。そのため、ユーザーが、カートリッジ２０を落下させてしまったとしても、伝達ギア６５は、円筒部６７によって保護され、ギアの歯先が平らな床面に接することがない。その結果、室内機１００は、伝達ギア６５と駆動ギア５１とのギアの噛み合いに対して品質を確保することができる。
【００５７】
実施の形態２．
図２７は、本発明の実施の形態２に係る空気調和機２００の構成例を示す模式図である。空気調和機２００は、実施の形態１に係る室内機１００を用いた空気調和機である。図１〜図２６の室内機１００と同一の構成を有する部位には同一の符号を付してその説明を省略する。次に、本発明の実施の形態２として、室内機１００を備えた空気調和機２００について説明する。図２７において実線の矢印は、空気調和機２００における冷房運転時の冷媒の流れを示し、点線の矢印は、空気調和機２００における暖房運転時の冷媒の流れを示す。図２７の空気調和機２００は、室外機１５０と、室内機１００とを有し、室外機１５０と室内機１００とは冷媒配管１３０及び冷媒配管１４０により配管接続されている。そして、空気調和機２００は、圧縮機１２１、流路切替装置１２２、熱交換器１２３、膨張弁１２４、熱交換器９０が冷媒配管を介して順次接続されている。空気調和機２００は、室外機１５０の流路切替装置１２２を用いて冷媒の流れを切り換えることで、暖房運転又は冷房運転を切り換えて実現することができる。なお、図２７で示す空気調和機２００の構成は１例であり、例えば、図２７の空気調和機２００にマフラー、アキュムレータ等が設けられていてもよい。
【００５８】
室内機１００は、熱交換器９０を有する。熱交換器９０は、空調対象となる空気と冷媒との熱交換を行う。熱交換器９０は、暖房運転時においては凝縮器として機能し、冷媒を凝縮して液化させる。また、熱交換器９０は、冷房運転時においては蒸発器として機能し、冷媒を蒸発させ、気化させる。熱交換器９０の近傍には、ファン８０が、熱交換器９０と対面するように設けられている。
【００５９】
室外機１５０は、圧縮機１２１、流路切替装置１２２、熱交換器１２３、及び膨張弁１２４を有している。圧縮機１２１は、吸入した冷媒を圧縮して吐出する。流路切替装置１２２は、例えば四方弁であり、冷媒の流路の方向の切り換えが行われる装置である。空気調和機２００は流路切替装置１２２を用いて冷媒の流れを切り換えることで、暖房運転又は冷房運転を実現することができる。熱交換器１２３は、冷媒と室外の空気との熱交換を行う。熱交換器１２３は、暖房運転時においては蒸発器として機能し、冷媒を蒸発させ、気化させる。また、熱交換器１２３は、冷房運転時においては凝縮器として機能し、冷媒を凝縮して液化させる。熱交換器１２３の近傍にはファン１２６が、熱交換器１２３と対面するように設けられている。膨張弁１２４は、絞り装置（流量制御手段）であり、膨張弁１２４を流れる冷媒の流量を調節することにより、膨張弁として機能し、流入してきた冷媒を減圧するものである。例えば、膨張弁１２４が、電子式膨張弁等で構成された場合は、制御装置（図示せず）等の指示に基づいて開度調整が行われる。
【００６０】
次に、空気調和機２００の冷房運転動作を説明する。圧縮機１２１によって圧縮され吐出された高温高圧のガス冷媒は、流路切替装置１２２を経由して、熱交換器１２３に流入する。熱交換器１２３に流入したガス冷媒はファン１２６により送風される外気との熱交換により凝縮し、低温の冷媒となって、熱交換器１２３から流出する。熱交換器１２３から流出した冷媒は、膨張弁１２４によって膨張及び減圧され、低温低圧の気液二相冷媒となる。この気液二相冷媒は、室内機１００の熱交換器９０に流入し、ファン８０により送風される室内空気との熱交換により蒸発し、低温低圧のガス冷媒となって熱交換器９０から流出する。このとき、冷媒に吸熱されて冷却された室内空気は、空調空気（冷風）となって、室内機１００の吹出口３から室内（空調対象空間）に吹き出される。熱交換器９０から流出したガス冷媒は、流路切替装置１２２を経由して圧縮機１２１に吸入され、再び圧縮される。以上の動作が繰り返される。
【００６１】
以上のように、空気調和機２００が実施の形態１に係る室内機１００を備えることによって、実施の形態１の効果を有する空気調和機２００を得ることができる。
【符号の説明】
【００６２】
１  ケーシング、１ａ  上部ケーシング、１ａ１  前部枠部、１ａ２  後部枠部、１ｂ  仕切壁、１ｃ  嵌合部、１ｄ  第１案内溝、１ｅ  側面部、１ｆ  第３案内溝、２  吸込口、３  吹出口、４  上面部、５  前面部、６  下面部、７  背面部、８  意匠パネル、１０  フィルター、１１  外枠、１２  捕捉部、１３  格子、１４  側縁部、１５  側縁部、１６  ラックギア、２０  カートリッジ、２０ａ  上側移動経路、２０ｂ  下側移動経路、２０ｂ１  渦巻き部、２１  第１フレーム、２２  第２フレーム、２３  通気口、２４  桟、２５  リブ、２６ａ  側壁部、２６ｂ  側壁部、２７  開口部、２８  フィルター押さえ部材、２８ａ  取手部、２８ｂ  上縁部、２８ｃ  下縁部、２８ｄ  段差、２８ｅ  前面部、２９  端部、２９ｂ  端部、３０  ダストボックス、３１  ブラシ、３２  ブラシ駆動軸、３３  埃収容部、３４  側面部、３５  突出片、３６  固定レバー、３７  前壁部、３７ａ  上縁部、３９  蓋部、３９ａ  回転軸、４０  ガイド突起、５０  モーターユニット、５０ａ  ユニット壁部、５０ｄ  第２案内溝、５１  駆動ギア、５１ａ  凸部、５１ｃ  軸位置、５１ｆ  仮想軸線、５１ｆ１  仮想軸線、５１ｇ  軸心、５２  モーター、５３  ブラシ駆動部、５５  係合穴、６０  フィルター駆動軸、６１  シャフト部、６２  フィルター移動ギア体、６２ａ  溝部、６３  搬送ギア、６４  ボス部、６５  伝達ギア、６５ａ  凸部、６５ｃ  軸位置、６５ｆ  仮想軸線、６５ｇ  軸心、６７  円筒部、６７ａ  円形状部、６７ｂ  周壁部、６７ｃ  切り欠き部、６７ｅ  支持部、８０  ファン、９０  熱交換器、１００  室内機、１２１  圧縮機、１２２  流路切替装置、１２３  熱交換器、１２４  膨張弁、１２６  ファン、１３０  冷媒配管、１４０  冷媒配管、１５０  室外機、２００  空気調和機。
【図１】
2019030861.tif 000003
【図２】
2019030861.tif 000004
【図３】
2019030861.tif 000005
【図４】
2019030861.tif 000006
【図５】
2019030861.tif 000007
【図６】
2019030861.tif 000008
【図７】
2019030861.tif 000009
【図８】
2019030861.tif 000010
【図９】
2019030861.tif 000011
【図１０】
2019030861.tif 000012
【図１１】
2019030861.tif 000013
【図１２】
2019030861.tif 000014
【図１３】
2019030861.tif 000015
【図１４】
2019030861.tif 000016
【図１５】
2019030861.tif 000017
【図１６】
2019030861.tif 000018
【図１７】
2019030861.tif 000019
【図１８】
2019030861.tif 000020
【図１９】
2019030861.tif 000021
【図２０】
2019030861.tif 000022
【図２１】
2019030861.tif 000023
【図２２】
2019030861.tif 000024
【図２３】
2019030861.tif 000025
【図２４】
2019030861.tif 000026
【図２５】
2019030861.tif 000027
【図２６】
2019030861.tif 000028
【図２７】
2019030861.tif 000029
【国際調査報告】
2019030861.tif 000030
2019030861.tif 000031
2019030861.tif 000032
2019030861.tif 000033